(57)【要約】【課題】屋内に取り込んだ外気の通風性を向上可能な建物を提供する。【解決手段】上階屋内空間と下階屋内空間とに隔てる仕切体と、前記上階屋内空間を外部空間と区画する対向した一対の上階外壁部と、前記下階屋内空間を外部空間と区画する対向した一対の下階外壁部と、を備え、前記仕切体には、前記上階屋内空間と前記下階屋内空間とを連通する第１開口部及び第２開口部が形成されており、前記一対の上階外壁部の１つは、平面視において、前記第２開口部を挟んで前記第１開口部と反対側の位置に、開閉可能な建具が設けられた第１通風開口を有し、前記一対の下階外壁部の１つは、平面視において、前記第１開口部を挟んで前記第２開口部と反対側の位置に、開閉可能な建具が設けられた第２通風開口を有する。【選択図】図３
2017128859.tif 000002
【特許請求の範囲】
【請求項１】
複数の階層を有する建物であって、
上階屋内空間と下階屋内空間とに隔てる仕切体と、
前記仕切体の平面視における一端側及び他端側にそれぞれ設けられ、前記上階屋内空間を外部空間と区画する対向した一対の上階外壁部と、
前記仕切体の平面視における前記一端側及び前記他端側にそれぞれ設けられ、前記下階屋内空間を外部空間と区画する対向した一対の下階外壁部と、を備え、
前記仕切体には、前記上階屋内空間と前記下階屋内空間とを連通する第１開口部及び第２開口部が形成されており、
前記第１開口部は、前記一対の上階外壁部及び前記一対の下階外壁部のうち、前記一端側に位置する一方の上階外壁部及び一方の下階外壁部よりも、前記他端側に位置する他方の上階外壁部及び他方の下階外壁部に近く、
前記第２開口部は、前記他端側に位置する前記他方の上階外壁部及び前記他方の下階外壁部よりも、前記一端側に位置する前記一方の上階外壁部及び前記一方の下階外壁部に近く、
前記一方の上階外壁部は、平面視において、前記第２開口部を挟んで前記第１開口部と反対側の位置に、開閉可能な建具が設けられた第１通風開口を有し、
前記他方の下階外壁部は、平面視において、前記第１開口部を挟んで前記第２開口部と反対側の位置に、開閉可能な建具が設けられた第２通風開口を有することを特徴とする建物。
【請求項２】
前記他方の上階外壁部は、平面視において、前記第１開口部及び前記第２開口部を挟んで前記第１通風開口と反対側の位置に、開閉可能な建具が設けられた通風開口を有することを特徴とする、請求項１に記載の建物。
【請求項３】
前記一方の下階外壁部は、平面視において、前記第１開口部及び前記第２開口部を挟んで前記第２通風開口と反対側の位置に、開閉可能な建具が設けられた通風開口を有することを特徴とする、請求項１又は２に記載の建物。
【請求項４】
前記仕切体は、複数の開口を有する格子床部を備え、
前記第１開口部及び前記第２開口部の少なくとも一方は、前記格子床部に形成された前記複数の開口により構成されていることを特徴とする、請求項１乃至３のいずれか１つに記載の建物。
【請求項５】
前記格子床部は、間隔を空けて配置された複数の棒状の桟材を備え、
前記複数の開口は、前記複数の桟材間に形成された複数の間隙であることを特徴とする、請求項４に記載の建物。
【請求項６】
前記複数の桟材は、平面視において、前記一対の上階外壁部と直交する方向に延在することを特徴とする、請求項５に記載の建物。
【請求項７】
前記第１開口部及び前記第２開口部の少なくとも一方は開閉可能であることを特徴とする、請求項１乃至６のいずれか１つに記載の建物。
【請求項８】
前記仕切体は、低位水平部と、前記低位水平部から起立した起立部と、前記起立部から水平方向に延在する高位水平部と、を有し、
前記第１開口部及び前記第２開口部の一方は、前記高位水平部の位置に形成されていることを特徴とする、請求項１乃至７のいずれか１つに記載の建物。
【請求項９】
前記起立部には、前記上階屋内空間と前記下階屋内空間とを連通する第３開口部が形成されていることを特徴とする、請求項８に記載の建物。
【請求項１０】
前記起立部は、前記一対の上階外壁部のいずれか一方と対向していることを特徴とする、請求項９に記載の建物。
【請求項１１】
前記第３開口部は開閉可能であることを特徴とする、請求項９又は１０に記載の建物。
【請求項１２】
前記仕切体は、低位水平部と、前記低位水平部から起立した起立部と、前記起立部から水平方向に延在する高位水平部と、を有し、
前記第１開口部及び前記第２開口部の一方は、前記起立部に形成されていることを特徴とする、請求項１乃至７のいずれか１つに記載の建物。
【請求項１３】
前記起立部は、平面視において、前記第１開口部及び前記第２開口部の他方に対向していることを特徴とする、請求項１２に記載の建物。
【請求項１４】
前記上階屋内空間及び前記下階屋内空間には、平面視において、前記第１開口部と前記第２開口部との間で空間を区画する区画壁がない、又は、前記第１開口部と前記第２開口部との間で空間を区画する区画壁があり、かつ、前記区画壁のすべてに開閉可能な建具が設けられた開口が形成されていることを特徴とする、請求項１乃至１３のいずれか１つに記載の建物。
【請求項１５】
前記上階屋内空間及び前記下階屋内空間の少なくとも一方に、放射式空調装置が配置されていることを特徴とする、請求項１乃至１４のいずれか１つに記載の建物。
【請求項１６】
前記放射式空調装置は、前記上階屋内空間又は前記下階屋内空間を仕切る仕切部材を兼ねることを特徴とする、請求項１５に記載の建物。
【請求項１７】
熱損失係数が１．９以下又は外皮平均熱貫流率が０．６以下であることを特徴とする、請求項１乃至１６のいずれか１つに記載の建物。
【発明の詳細な説明】
【技術分野】
【０００１】
本発明は建物に関する。
【背景技術】
【０００２】
従来から、自然採光の確保等のために、屋内空間に吹抜けを設け、天窓等からの自然採光を確保する建物が知られている。しかしながら、上階と下階とを連通する吹抜けを設けると、上階の床面積が小さくなる。特許文献１には、下階としての１階の採光性及び上階としての２階の床面積を考慮した建物が開示されている。具体的に、特許文献１に記載の建物は、２階の床と外壁との間に、この外壁に沿って形成され、２階と１階とを連通する隙間部と、この隙間部を覆うように設けられ、２階と１階とを連通した状態で１階への物の落下を防ぐ落下防止部と、を備えるものである。
【先行技術文献】
【特許文献】
【０００３】
【特許文献１】特開２００７−１０７２９７号公報
【発明の概要】
【発明が解決しようとする課題】
【０００４】
ところで、特許文献１に記載の建物では、隙間部により１階と２階とが連通しているため、１階又は２階の冷気や熱気が、隙間部を通じて２階から１階、又は１階から２階へと時間をかけて緩やかに移動し、夏季や冬季に１階及び２階を均一な温度で管理し得るという利点がある。
【０００５】
その一方で、特許文献１に記載の建物では、外壁に設けられた窓等の通風開口から取り込んだ外気の屋内での通風性については考慮されておらず、外気取り込み時の通風性においては改善の余地があるものである。
【０００６】
本発明は、屋内に取り込んだ外気の通風性を向上可能な建物を提供することを目的とするものである。
【課題を解決するための手段】
【０００７】
本発明の第１の態様としての建物は、複数の階層を有する建物であって、上階屋内空間と下階屋内空間とに隔てる仕切体と、前記仕切体の平面視における一端側及び他端側にそれぞれ設けられ、前記上階屋内空間を外部空間と区画する対向した一対の上階外壁部と、前記仕切体の平面視における前記一端側及び前記他端側にそれぞれ設けられ、前記下階屋内空間を外部空間と区画する対向した一対の下階外壁部と、を備え、前記仕切体には、前記上階屋内空間と前記下階屋内空間とを連通する第１開口部及び第２開口部が形成されており、前記第１開口部は、前記一対の上階外壁部及び前記一対の下階外壁部のうち、前記一端側に位置する一方の上階外壁部及び一方の下階外壁部よりも、前記他端側に位置する他方の上階外壁部及び他方の下階外壁部に近く、前記第２開口部は、前記他端側に位置する前記他方の上階外壁部及び前記他方の下階外壁部よりも、前記一端側に位置する前記一方の上階外壁部及び前記一方の下階外壁部に近く、前記一方の上階外壁部は、平面視において、前記第２開口部を挟んで前記第１開口部と反対側の位置に、開閉可能な建具が設けられた第１通風開口を有し、前記他方の下階外壁部は、平面視において、前記第１開口部を挟んで前記第２開口部と反対側の位置に、開閉可能な建具が設けられた第２通風開口を有することを特徴とするものである。
【０００８】
本発明の１つの実施形態として、前記他方の上階外壁部は、平面視において、前記第１開口部及び前記第２開口部を挟んで前記第１通風開口と反対側の位置に、開閉可能な建具が設けられた通風開口を有することが好ましい。
【０００９】
本発明の１つの実施形態として、前記一方の下階外壁部は、平面視において、前記第１開口部及び前記第２開口部を挟んで前記第２通風開口と反対側の位置に、開閉可能な建具が設けられた通風開口を有することが好ましい。
【００１０】
本発明の１つの実施形態として、前記仕切体は、複数の開口を有する格子床部を備え、前記第１開口部及び前記第２開口部の少なくとも一方は、前記格子床部に形成された前記複数の開口により構成されていることが好ましい。
【００１１】
本発明の１つの実施形態として、前記格子床部は、間隔を空けて配置された複数の棒状の桟材を備え、前記複数の開口は、前記複数の桟材間に形成された複数の間隙であることが好ましい。
【００１２】
本発明の１つの実施形態として、前記複数の桟材は、平面視において、前記一対の上階外壁部と直交する方向に延在することが好ましい。
【００１３】
本発明の１つの実施形態として、前記第１開口部及び前記第２開口部の少なくとも一方は開閉可能であることが好ましい。
【００１４】
本発明の１つの実施形態として、前記仕切体は、低位水平部と、前記低位水平部から起立した起立部と、前記起立部から水平方向に延在する高位水平部と、を有し、前記第１開口部及び前記第２開口部の一方は、前記高位水平部の位置に形成されていることが好ましい。
【００１５】
本発明の１つの実施形態として、前記起立部には、前記上階屋内空間と前記下階屋内空間とを連通する第３開口部が形成されていることが好ましい。
【００１６】
本発明の１つの実施形態として、前記起立部は、前記一対の上階外壁部のいずれか一方と対向していることが好ましい。
【００１７】
本発明の１つの実施形態として、前記第３開口部は開閉可能であることが好ましい。
【００１８】
本発明の１つの実施形態として、前記仕切体は、低位水平部と、前記低位水平部から起立した起立部と、前記起立部から水平方向に延在する高位水平部と、を有し、前記第１開口部及び前記第２開口部の一方は、前記起立部に形成されていることが好ましい。
【００１９】
本発明の１つの実施形態として、前記起立部は、平面視において、前記第１開口部及び前記第２開口部の他方に対向していることが好ましい。
【００２０】
本発明の１つの実施形態として、前記上階屋内空間及び前記下階屋内空間には、平面視において、前記第１開口部と前記第２開口部との間で空間を区画する区画壁がない、又は、前記第１開口部と前記第２開口部との間で空間を区画する区画壁があり、かつ、前記区画壁のすべてに開閉可能な建具が設けられた開口が形成されていることが好ましい。
【００２１】
本発明の１つの実施形態として、前記上階屋内空間及び前記下階屋内空間の少なくとも一方に、放射式空調装置が配置されていることが好ましい。
【００２２】
本発明の１つの実施形態として、前記放射式空調装置は、前記上階屋内空間又は前記下階屋内空間を仕切る仕切部材を兼ねることが好ましい。
【００２３】
本発明の１つの実施形態としての建物は、熱損失係数が１．９以下又は外皮平均熱貫流率が０．６以下であることが好ましい。
【発明の効果】
【００２４】
本発明によれば、屋内に取り込んだ外気の通風性を向上可能な建物を提供することができる。
【図面の簡単な説明】
【００２５】
【図１】本発明の一実施形態としての建物の１階平面図である。
【図２】図１に示す建物の２階平面図である。
【図３】図１及び図２のＩ−Ｉ断面図である。
【図４】開閉可能な開口部の一例を示す図である。
【発明を実施するための形態】
【００２６】
以下、本発明に係る建物の実施形態について、図１〜図４を参照して説明する。なお、各図において共通の部材には、同一の符号を付している。
【００２７】
図１、図２は、本発明に係る建物の一実施形態としての建物１を示す図である。具体的に、図１は、建物１の１階平面図であり、図２は建物１の２階平面図である。また、図３は、図１及び図２のＩ−Ｉ断面図である。
【００２８】
まず、建物１の全体構成について説明する。図１〜図３に示すように、建物１は、鉄骨造の軸組みを有する２階建ての工業化住宅である。換言すれば、建物１は複数の階層として２層を有するものである。
【００２９】
図１に示すように、建物１の１階には、玄関１１、廊下１２、リビング・ダイニング・キッチン（ＬＤＫ）１３、部屋１４、収納室１５、階段室１６等が配置されている。また、図２に示すように、建物２の２階には、廊下１７、リビング１８、複数の部屋１９ａ〜１９ｃ、洗面室２０、屋根付き屋外空間２１等が配置されている。
【００３０】
建物１は、地盤に固定された鉄筋コンクリート造の基礎構造体（図示省略）と、柱部材や梁部材などの軸組部材で構成された軸組架構を有し、基礎構造体に固定された上部構造体と、で構成されている。なお、軸組架構を構成する軸組部材は、規格化（標準化）されたものであり、予め工場にて製造されたのち建築現場に搬入されて組み立てられる。
【００３１】
基礎構造体は、軸組架構の下方に位置し、軸組架構を支持している。具体的に、基礎構造体は、鉄筋コンクリート造の断面Ｔ字状の布基礎であり、フーチング部と、基礎梁としての立ち上がり部とを備える。また、基礎構造体の立ち上がり部の上端部には、露出型固定柱脚工法により軸組架構の柱部材の柱脚を固定するための柱脚固定部が設けられ、アンカーボルトが立ち上がり部の上面から突出している。
【００３２】
上部構造体は、複数の柱部材及び柱部材間に架設された複数の梁部材から構成される軸組架構と、この軸組架構の外周部に配置される外周壁２と、階層間を上階屋内空間と下階屋内空間とに隔てる仕切体３と、を備えている。なお、本実施形態の建物１は２階建ての住宅であるため、本実施形態の上階屋内空間は２階の屋内空間であり、本実施形態の下階屋内空間は１階の屋内空間である。
【００３３】
外周壁２は、外装部材と、断熱部材と、内装部材と、を含んでいる。外装部材は、例えば、軽量気泡コンクリート（以下、「ＡＬＣ」と記載する。「ＡＬＣ」とは「autoclaved light weight concrete」の略である。）のパネルにより構成することができ、軸組架構の周囲にＡＬＣパネルを複数連接させることにより、外周壁２の外層を形成することができる。断熱部材は、例えば、フェノールフォーム、ポリスチレンフォーム、ウレタンフォーム等の発泡樹脂系の材料で形成することができ、上述の外装部材により形成された外層の内面に沿って連接することにより、外周壁２の断熱層を形成することができる。更に、内装部材は、例えば、石膏ボードを用いることができ、断熱層の内側に連接することにより、外周壁２の内層を形成することができる。なお、図１〜図３では、外周壁２の外装部材、断熱部材及び内装部材を区別せずに一体として描いている。
【００３４】
仕切体３は、床支持部材を含んでいる。床支持部材は、例えば、ＡＬＣパネルにより構成することができる。床支持部材は、梁部材間に架設され、梁部材により直接的又は間接的に支持される。なお、仕切体３のうち後述する格子床部４０ａ及び４０ｂについては、床支持部材として、鋼材又は木材で形成された複数の桟材４１が用いられている。格子床部４０ａ及び４０ｂの詳細は後述する（図２等参照）。
【００３５】
ここで、「仕切体」とは、上階屋内空間と下階屋内空間とを仕切るものであり、軸組架構を除く、下階屋内空間の天面から上階屋内空間の床面までの間に位置する部材の集合体を意味するものである。従って、仕切体は、上述した床支持部材に加えて、例えば、床支持部材に対して直接的又は間接的に固定された、下階屋内空間の天井面を構成する天井内装部材や、床支持部材上に積層された、上階屋内空間の床面を構成するフローリング等の床内装部材などを含む概念である。そして、本実施形態の仕切体３は、上階屋内空間としての２階の屋内空間と、下階屋内空間としての１階の屋内空間とを仕切るものである。
【００３６】
なお、図３に示すように、建物１は陸屋根を備えるものであり、屋上階にはペントハウス２２が設けられている。ペントハウス２２は、１階の廊下１２の一部の鉛直方向上方に位置しており、１階の廊下１２の一部は、後述する２階の第１開口部３ａを介してペントハウス２２内まで連通する吹抜けになっている。ペントハウス２２の外壁には外部からペントハウス２２内に自然光を取り込むことが可能な採光窓２２ａが設けられている。採光窓２２ａには、例えば、ガラスなどの透明部材を含む開閉可能な建具が設けられている。
【００３７】
以下、建物１の詳細を説明する。
【００３８】
図１〜図３に示すように、本実施形態の外周壁２は、上階としての２階の周囲を取り囲む上階外周壁２ａと、下階としての１階の周囲を取り囲む下階外周壁２ｂと、を備えている。
【００３９】
上階外周壁２ａは、仕切体３の平面視における一端側及び他端側にそれぞれ設けられ、上階屋内空間を外部空間と区画する対向した一対の第１上階外壁部２ａ１及び２ａ２を備えている。本実施形態の一対の第１上階外壁部２ａ１及び２ａ２は、上階外周壁２ａのうち、南北方向において対向する部分である。
【００４０】
更に、上階外周壁２ａは、仕切体３の平面視における一端側としての北側及び他端側としての南側を結ぶ方向（本実施形態では南北方向）に直交する方向にそれぞれ設けられ、上階屋内空間を外部空間と区画する対向した一対の第２上階外壁部２ａ３及び２ａ４を備えている。より具体的に、本実施形態の一対の第２上階外壁部２ａ３及び２ａ４は、上階外周壁２ａのうち、東西方向において対向する部分である。
【００４１】
換言すれば、本実施形態の建物１における２階の屋内空間は、北側を一方の第１上階外壁部２ａ１により、南側を他方の第１上階外壁部２ａ２により、西側を一方の第２上階外壁部２ａ３により、東側を他方の第２上階外壁部２ａ４により、外部空間と区画されている。
【００４２】
また、下階外周壁２ｂは、仕切体３の平面視における一端側及び他端側にそれぞれ設けられ、下階屋内空間を外部空間と区画する対向した一対の第１下階外壁部２ｂ１及び２ｂ２を備えている。本実施形態の一対の第１下階外壁部２ｂ１及び２ｂ２は、下階外周壁２ｂのうち、南北方向において対向する部分である。
【００４３】
更に、下階外周壁２ｂは、仕切体３の平面視における一端側としての北側及び他端側としての南側を結ぶ方向（本実施形態では南北方向）に直交する方向にそれぞれ設けられ、下階屋内空間を外部空間と区画する対向した一対の第２下階外壁部２ｂ３及び２ｂ４を備えている。より具体的に、本実施形態の一対の第２下階外壁部２ｂ３及び２ｂ４は、下階外周壁２ｂのうち、東西方向において対向する部分である。
【００４４】
換言すれば、本実施形態の建物１における１階の屋内空間は、北側を一方の第１下階外壁部２ｂ１により、南側を他方の第１下階外壁部２ｂ２により、西側を一方の第２下階外壁部２ｂ３により、東側を他方の第２下階外壁部２ｂ４により、外部空間と区画されている。
【００４５】
なお、図３の断面視では、南北方向において対向する、一対の第１上階外壁部２ａ１及び２ａ２並びに一対の第１下階外壁部２ｂ１及び２ｂ２が示されている。
【００４６】
仕切体３には、上階屋内空間と下階屋内空間とを連通する第１開口部３ａ及び第２開口部３ｂが形成されている。
【００４７】
図１〜図３に示すように、第１開口部３ａは、一対の第１上階外壁部２ａ１及び２ａ２並びに一対の第１下階外壁部２ｂ１及び２ｂ２のうち、一端側としての北側に位置する一方の第１上階外壁部２ａ１及び一方の第１下階外壁部２ｂ１よりも、他端側としての南側に位置する他方の第１上階外壁部２ａ２及び他方の第１下階外壁部２ｂ２に近い位置に配置されている。
【００４８】
より具体的には、図１〜図３に示すように、本実施形態の第１開口部３ａは、平面視において、南側の第１上階外壁部２ａ２及び第１下階外壁部２ｂ２に隣接した位置、すなわち、仕切体３の南側端部に設けられている。
【００４９】
また、図１〜図３に示すように、第２開口部３ｂは、一対の第１上階外壁部２ａ１及び２ａ２並びに一対の第１下階外壁部２ｂ１及び２ｂ２のうち、他端側としての南側に位置する他方の第１上階外壁部２ａ２及び他方の第１下階外壁部２ｂ２よりも、一端側としての北側に位置する一方の第１上階外壁部２ａ１及び一方の第１下階外壁部２ｂ１に近い位置に配置されている。
【００５０】
より具体的には、図１〜図３に示すように、本実施形態の第２開口部３ｂは、平面視において、北側の第１上階外壁部２ａ１及び第１下階外壁部２ｂ１に隣接した位置、すなわち、仕切体３の北側端部に設けられている。
【００５１】
このように、第１開口部３ａ及び第２開口部３ｂは、仕切体３のうち南北方向の両端部に形成されている。
【００５２】
ここで、一対の第１上階外壁部２ａ１及び２ａ２のうち、北側に位置する第１上階外壁部２ａ１は、平面視（図２参照）において、第２開口部３ｂを挟んで第１開口部３ａと反対側の位置に、開閉可能な建具５１ａが設けられた第１通風開口５２ａを有している。
【００５３】
また、一対の第１下階外壁部２ｂ１及び２ｂ２のうち、南側に位置する第１下階外壁部２ｂ２は、平面視（図１参照）において、第１開口部３ａを挟んで第２開口部３ｂと反対側の位置に、開閉可能な建具５１ｂが設けられた第２通風開口５２ｂを有している。なお、図１では、説明の便宜上、仕切体３の第１開口部３ａ及び第２開口部３ｂの位置を破線により示している。
【００５４】
このように、上下階を隔てる仕切体３に第１開口部３ａ及び第２開口部３ｂを設けると共に、第１開口部３ａ及び第２開口部３ｂを含む垂直断面視（図３参照）において、第１開口部３ａ及び第２開口部３ｂを挟む水平方向の両側に位置する外壁部に第１通風開口５２ａと第２通風開口５２ｂを設け、第１通風開口５２ａを設ける階層と第２通風開口５２ｂを設ける階層とを別々にすることにより、建具５１ａ及び５１ｂが閉鎖状態の場合には上下階の温度を均一化し易く、建具５１ａ及び５１ｂが開放状態の場合には取り込んだ外気の屋内での通気性を向上させることができる。
【００５５】
具体的に、第１通風開口５２ａに設けられた建具５１ａ及び第２通風開口５２ｂに設けられた建具５１ｂを閉鎖状態とすれば、第１開口部３ａ及び第２開口部３ｂを通じて、上下階の屋内空間で冷気及び熱気を循環させることができ、上下階の温度を均一化させ易い。そのため、上下階それぞれでのみ温度調整が可能な建物や、部屋等の個別の空間毎でのみ温度調整が可能な建物と比較して、余剰な冷気や熱気が発生され難く、上下階全体として効率的な温度管理を行うことができる。
【００５６】
その一方で、第１通風開口５２ａに設けられた建具５１ａ及び第２通風開口５２ｂに設けられた建具５１ｂを開放状態とすれば、第１通風開口５２ａ及び第２通風開口５２ｂの一方から取り込んだ外気は、第１開口部３ａや第２開口部３ｂを通じて、他方へと抜け易い。つまり、取り込んだ外気を上階屋内空間及び下階屋内空間の両方に流しながら屋外へと排出する通風経路を確保することができ、屋内の通気性を向上させることができる。
【００５７】
なお、図１〜図３に示すように、本実施形態の上階屋内空間としての２階の屋内空間及び下階屋内空間としての１階の屋内空間には、平面視（図１、図２参照）において、第１開口部３ａと第２開口部３ｂとの間で空間を区画する区画壁があるが、この区画壁のすべてに開閉可能な建具が設けられた開口が形成されている。具体的には図２、図３に示すように、本実施形態の建物１の２階には、第１開口部３ａと第２開口部３ｂとの間で空間を区画する区画壁として、リビング１８の南側を区画する区画壁１８ａがある。そして、図２、図３に示すように、区画壁１８ａには、開閉可能な建具６１ａが設けられた開口６２ａが形成されている。このような構成とし、建具６１ａを開放状態とすれば、２階における第１開口部３ａと第２開口部３ｂとの間の通気性をより向上させることができる。
【００５８】
同様に、本実施形態の建物１の１階には、第１開口部３ａと第２開口部３ｂとの間で空間を区画する区画壁として、リビング・ダイニング・キッチン１３の南側を区画する区画壁１３ａがある。そして、図１、図３に示すように、区画壁１８ａには、開閉可能な建具６１ｂが設けられた開口６２ｂが形成されている。このような構成とし、建具６１ｂを開放状態とすれば、１階における第１開口部３ａと第２開口部３ｂとの間の通気性をより向上させることができる。
【００５９】
なお、本実施形態では、区画壁１８ａの開口６２ａが、後述する格子床部４０ａとリビング１８とを繋ぐ出入り口であり、区画壁１３ａの開口６２ｂが、廊下１２とリビング・ダイニング・キッチン１３とを繋ぐ出入り口であるが、上階屋内空間及び下階屋内空間の各屋内空間において、第１開口部３ａと第２開口部３ｂとの間が連通空間となるようにする開口であればよく、人の移動を想定した出入り口に限られるものではない。したがって、上階屋内空間及び下階屋内空間の具体的な間取りに応じて、開口の形状、大きさ、用途は適宜変更可能である。
【００６０】
また、本実施形態では、第１開口部３ａと第２開口部３ｂとの間で空間を区画する区画壁１３ａ及び１８ａがあるが、第１開口部３ａと第２開口部３ｂとの間で空間を区画する区画壁が全く存在しない構成としてもよい。
【００６１】
更に、本実施形態の第１通風開口５２ａには、建具５１ａとして、引き違い窓が設けられているが、開閉可能な建具５１ａであればよく、開閉形式は引き違い式に限られるものではない。したがって、例えば、すべり出し窓、片開き窓、ルーバー窓等としてもよい。但し、採光性を考慮し、ガラスなどの透明又は半透明な部材を含む建具５１ａとすることが好ましい。
【００６２】
また更に、本実施形態の第２通風開口５２ｂには、建具５１ｂとして、掃き出し窓が設けられているが、開閉可能な建具５１ａであればよく、例えば、すべり出し窓、片開き窓、ルーバー窓等としてもよい。但し、採光性を考慮し、ガラスなどの透明又は半透明な部材を含む建具５１ｂとすることが好ましい。また、本実施形態の建物１のように、下階屋内空間が１階の屋内空間となる場合には、第２通風開口５２ｂは、防犯上の観点から、ルーバー窓や、仕切体３の近傍に位置する高窓とすることが好ましい。
【００６３】
また、本実施形態の建物１の１階では、平面視（図１参照）において第１開口部３ａと第２開口部３ｂとの間に挟まれる空間が、廊下１２及びリビング・ダイニング・キッチン１３であり、リビング・ダイニング・キッチン１３は玄関１１と繋がっておらず、廊下１２のみが、西側の仕切壁１２ａにおける開閉可能な建具６１ｃが設けられた出入り口６２ｃを通じて玄関１１と繋がっている。換言すれば、廊下１２及びリビング・ダイニング・キッチン１３は、玄関１１と常時連通している空間ではなく、建具６１ｃの開閉により、玄関１１と連通する状態と、玄関１１と連通しない状態とに切り替え可能である。したがって、建具６１ｃを閉鎖状態とすれば、玄関１１に設けられた玄関出入り口１１ａを開放状態としても、平面視（図１参照）において第１開口部３ａと第２開口部３ｂとの間に挟まれる空間に玄関出入り口１１ａから外気が導入し難い。そのため、頻繁に開閉され得る玄関出入り口１１ａから屋内へと流入する外気が、上下階の屋内空間に意図しない温度変化をもたらすことを抑制することができる。
【００６４】
以下、本実施形態の建物１の更なる詳細について説明する。
【００６５】
本実施形態の建物１の外周壁２には、上述した第１通風開口５２ａ及び第２通風開口５２ｂの他に、別の通風開口が設けられている。具体的に、本実施形態の南側の第１上階外壁部２ａ２は、平面視（図２参照）において、第１開口部３ａ及び第２開口部３ｂを挟んで第１通風開口５２ａと反対側の位置に、開閉可能な建具５１ｃが設けられた第３通風開口５２ｃを有している。
【００６６】
更に、本実施形態の北側の第１下階外壁部２ｂ１は、平面視（図１参照）において、第１開口部３ａ及び第２開口部３ｂを挟んで第２通風開口５２ｂと反対側の位置に、開閉可能な建具５１ｄが備え付けられた第４通風開口５２ｄを有している。
【００６７】
つまり、本実施形態の建物１では、第１開口部３ａ及び第２開口部３ｂを含む垂直断面視（図３参照）において、第１開口部３ａ及び第２開口部３ｂの両方を挟み水平方向の両側に、４つの通風開口が設けられている。具体的には図３に示すように、２階では、水平方向で第１開口部３ａ及び第２開口部３ｂの両方を挟む両側の外壁部に、第１通風開口５２ａ及び第３通風開口５２ｃが配置されている。また、図３に示すように、１階では、水平方向で第１開口部３ａ及び第２開口部３ｂの両方を挟む両側の外壁部に、第２通風開口５２ｂ及び第４通風開口５２ｄが配置されている。
【００６８】
そのため、第１〜第４通風開口５２ａ〜５２ｄそれぞれの開閉状態を操作することにより、外気の取り込み位置と排出位置とを操作することができる。つまり、第１〜第４通風開口５２ａ〜５２ｄの開閉を操作することにより、外気が屋内を流れる経路を変化させることができ、所望の流れを生成し易くなる。
【００６９】
特に、第１開口部３ａ及び第２開口部３ｂの少なくとも一方を開閉可能な構成とすれば、第１〜第４通風開口５２ａ〜５２ｄそれぞれの開閉操作に加えて、第１開口部３ａや第２開口部３ｂの開閉操作を行うことにより、屋内での外気の流れをより一層コントロールすることが可能となる。
【００７０】
以下、仕切体３の第１開口部３ａ及び第２開口部３ｂの詳細について説明する。
【００７１】
本実施形態の仕切体３は、複数の開口を有する格子床部４０ａ及び４０ｂを備えており、第１開口部３ａ及び第２開口部３ｂは、格子床部４０ａ及び４０ｂに形成された複数の開口により構成されている。具体的に、仕切体３の平面視（図２参照）において、南側の第１上階外壁部２ａ２に隣接した位置に、第１格子床部４０ａが設けられており、第１開口部３ａは、第１格子床部４０ａに形成された複数の開口により構成されている。また、仕切体３の平面視（図２参照）において、北側の第１上階外壁部２ａ１に隣接した位置に、第２格子床部４０ｂが設けられており、第２開口部３ｂは、第２格子床部４０ｂに形成された複数の開口により構成されている。
【００７２】
なお、本実施形態の第１格子床部４０ａは、下階屋内空間としての１階屋内空間の廊下１２の鉛直方向上方に設けられている。また、本実施形態の第２格子床部４０ｂは、下階屋内空間としての１階屋内空間のリビング・ダイニング・キッチン１３の北側端部の鉛直方向上方に設けられている。換言すれば、第１格子床部４０ａは、平面視において、廊下１２と重なる位置に配置されている。また、第２格子床部４０ｂは、平面視において、建物１の中で壁により周囲を区画された空間として床面積が最も大きい空間であるリビング・ダイニング・キッチン１３と重なる位置に配置されている。
【００７３】
第１及び第２格子床部４０ａ及び４０ｂは、上階屋内空間の床の一部であり、住人等は、第１及び第２格子床部４０ａ及び４０ｂの上を利用することができる。つまり、第１及び第２格子床部４０ａ及び４０ｂによれば、第１及び第２開口部３ａ及び３ｂを備えるため、上階屋内空間の床面積を減らすことなく、上下階の採光性及び通風性を確保することができる。
【００７４】
ここで、本実施形態の第１及び第２格子床部４０ａ及び４０ｂそれぞれは、間隔を空けて配置された複数の棒状の桟材４１を備えており、本実施形態における上述した第１開口部３ａ及び第２開口部３ｂを構成する複数の開口は、複数の桟材４１間に形成された複数の間隙である。換言すれば、本実施形態の第１及び第２格子床部４０ａ及び４０ｂは、すのこ状の床部である。
【００７５】
また、本実施形態の複数の桟材４１は、平面視（図１、図２参照）において、一対の上階外壁部２ａ１及び２ａ２と直交する方向、すなわち本実施形態では南北方向に延在している。このように、桟材４１を、平面視において一対の上階外壁部２ａ１及び２ａ２と直交する方向に延在させて配置することにより、一対の上階外壁部２ａ１及び２ａ２に設けられた第１通風開口５２ａ及び第３通風開口５２ｃを通じて屋内に入り込む外光を、第１開口部３ａ及び第２開口部３ｂとしての桟材４１間の間隙を通じて、下階屋内空間へと取り込み易くなる。
【００７６】
なお、本実施形態の第１開口部３ａ及び第２開口部３ｂは、第１及び第２格子床部４０ａ及び４０ｂの複数の桟材４１間に形成された間隙により構成されているが、上階屋内空間と下階屋内空間との間の通風を可能にする構成であればよく、例えば、本実施形態で示す構成とは別の構成によりスリット状や格子状の間隙が形成されるものなど、本実施形態で示す第１開口部３ａ及び第２開口部３ｂの具体的構成に限られるものではない。
【００７７】
例えば、上述したように、開閉可能な第１開口部及び第２開口部とすることも可能である。開閉可能な第１開口部及び第２開口部としては、例えば、複数の開口が形成された２枚の板材を相対的にスライド可能に配置した無双窓とすることができる。無双窓により形成される開閉可能な開口部は、図４に示すように、２枚の板材９０ａ及び９０ｂの開口９１ａ及び９１ｂ同士が重なると開放状態となり、２枚の板材９０ａ及び９０ｂの開口９１ａ及び９１ｂ同士が重ならないと閉鎖状態となる。なお、図４（ａ）は無双窓の正面図であり、図４（ｂ）は図４（ａ）のＩＩ−ＩＩ断面図である。図４（ａ）、図４（ｂ）では、２枚の板材９０ａ及び９０ｂの開口９１ａ及び９１ｂ同士が重ならない閉鎖状態を示している。但し、開閉可能な開口部は、上述した無双窓に限られるものではなく、開口部を開閉可能に移動する、水平スクリーンなどのカバー部材を設けることにより実現してもよい。
【００７８】
また、本実施形態の第１開口部３ａ及び第２開口部３ｂはいずれも、複数の桟材４１間に形成された間隙により構成されているが、第１開口部と第２開口部とを別の構成とすることも可能である。例えば、第１開口部及び第２開口部の一方のみを、上述した開閉可能な構成とすることが可能である。
【００７９】
更に、図３に示すように、本実施形態の仕切体３は、断面視が略クランク状に形成されており、低位水平部３０ａと、この低位水平部３０ａの端部から起立した起立部３０ｃと、この起立部の上端から水平方向に延在する高位水平部と、を有している。そして第２開口部３ｂは、高位水平部３０ｂの位置に形成されている。また、低位水平部３０ａと高位水平部３０ｂとの間の起立部３０ｃには、上階屋内空間としての２階屋内空間と下階屋内空間としての１階屋内空間とを連通する第３開口部３ｃが形成されている。このように、低位水平部３０ａと高位水平部３０ｂとの間の高低差を利用して起立部３０ｃを設け、この起立部３０ｃに上階屋内空間に繋がる第３開口部３ｃを形成すれば、水平部の位置に第３開口部を形成する構成と比較して、上階屋内空間を水平方向に流れる気流を第３開口部３ｃ内に取り込み易い。つまり、上階屋内空間に流れる気流を、第３開口部３ｃを通じて、より効率的に下階屋内空間へと誘導することが可能となる。
【００８０】
なお、起立部３０ｃは、一対の第１上階外壁部２ａ１及び２ａ２のいずれか一方と対向している。図２に示すように、本実施形態の起立部３０ｃは、南側の第１上階外壁部２ａ２に対向している。このようにすれば、一対の第１上階外壁部２ａ１及び２ａ２のいずれか一方側から他方側へ向かう外気の流れ、本実施形態では南側から北側に向かう外気の流れを、第３開口部３ｃを通じて、下階屋内空間に送り易くなる。
【００８１】
また、本実施形態の第３開口部３ｃは開閉可能である。開閉可能な第３開口部３ｃは、例えば、複数の開口９１ａ及び９１ｂが形成された２枚の板材９０ａ及び９０ｂを相対的にスライド可能に配置した無双窓により実現することが可能である（図４参照）。
【００８２】
ここで、本実施形態では、第２開口部３ｂが高位水平部３０ｂの位置に形成され、第１開口部３ａが低位水平部３０ａの位置に形成されているが、例えば、第１開口部３ａが形成されている部分を高位水平部とし、第２開口部３ｂが形成されている位置を低位水平部とすることも可能である。また、第１開口部３ａ及び第２開口部３ｂの両方を高位水平部の位置に形成することも可能である。そのため、起立部３０ｃは、本実施形態のように南側の第１上階外壁部２ａ２に対向する構成に限られるものではなく、北側の第１上階外壁部２ａ１と対向する構成とすることも可能である。
【００８３】
また、低位水平部３０ａと高位水平部３０ｂとの間の段差は、例えば、高位水平部３０ｂに対応する位置で、梁部材を鉛直方向に複数重ね合わせ、その上に床支持部材を架設することにより実現することができるが、段差を形成する手段はこの構成に限られるものではない。
【００８４】
更に、本実施形態では、第１開口部３ａ及び第２開口部３ｂとは別の第３開口部３ｃを、起立部３０ｃの位置に設けたが、第１開口部及び前記第２開口部の少なくとも一方を、起立部３０ｃに設ける構成としてもよい。かかる場合に、起立部３０ｃは、平面視において、第１開口部及び第２開口部の他方に対向させることが好ましい。これにより、上述した第３開口部３ｃと同様の効果を得ることができる。また、起立部３０ｃの位置に設けられた第１開口部及び前記第２開口部の少なくとも一方は、開閉可能とすることが好ましい。開閉可能な開口部は、例えば、複数の開口９１ａ及び９１ｂが形成された２枚の板材９０ａ及び９０ｂを相対的にスライド可能に配置した無双窓により実現することが可能である（図４参照）。
【００８５】
最後に、本実施形態において上階屋内空間及び下階屋内空間の少なくとも一方に配置される放射式空調装置７０について説明する。図１〜図３に示すように、本実施形態では、上階屋内空間及び下階屋内空間の両方に、放射式空調装置７０としての輻射パネル装置が配置されている。本実施形態の放射式空調装置７０としての輻射パネル装置は、上階屋内空間及び下階屋内空間に立設される複数の輻射パネル７１と、これらの輻射パネル７１に熱媒体を供給する熱源機（不図示）とを有している。
【００８６】
図示はしないが、輻射パネル７１は、その内部に熱源機から供給される熱媒体を通すパイプを備えており、このパイプに加熱または冷却された熱媒体が通ることで暖房作用または冷却作用を生じる構成となっている。パイプは、熱源機から供給される熱媒体と輻射パネル７１との間で効率よく熱交換が行い得るように、例えば波型配置やＵ字型配置で輻射パネル７１に内蔵された構成とされる。
【００８７】
ここで、放射式空調装置７０としての輻射パネル装置は、平面視（図１、図２参照）において、上階屋内空間及び下階屋内空間の少なくとも一方の、第１開口部３ａと第２開口部３ｂとの間に配置する。また、その際に、放射式空調装置としての輻射パネル装置の輻射パネル７１は、上階屋内空間又は下階屋内空間を仕切る仕切部材を兼ねていることが好ましい。このようにすれば、輻射パネル７１が、輻射パネル７１により仕切られる両側の空間に面することになるため、１つの輻射パネル７１によって両方の空間を冷暖房することができる。したがって、各空間に輻射パネル７１を設置するスペースを設けなくてよく、レイアウト性を高めることができる。なお、輻射パネル７１により仕切られる両側の空間は、輻射パネル７１によって完全に隔てられるわけではなく、部分的に仕切られており、上階屋内空間及び下階屋内空間それぞれの第１開口部３ａと第２開口部３ｂとの間の通風性は確保されている。
【００８８】
なお、本実施形態の建物１は、熱損失係数（Ｑ値）が１．９以下又は外皮平均熱貫流率（ＵＡ値）が０．６以下の高断熱住宅である。このような高断熱住宅を前提とすることにより、上下階全体でより効率的な温度管理を実現することが可能となる。
【００８９】
本発明に係る建物は、上述した実施形態に記載の構成に限られるものではなく、特許請求の範囲の記載に逸脱しない範囲で、種々の変更を行うことが可能である。例えば、上述した建物１は、鉄骨造の軸組みを有する２階建ての工業化住宅であるが、仕切体３を挟んで鉛直方向に隣接する２つの階層を少なくとも有する建物であればよく、例えば、３階建ての住宅としてもよい。したがって、上述した建物１では上階屋内空間が２階であり、下階屋内空間が１階であったが、３階以上の建物の場合には、仕切体を挟んで直上に位置する階層が本願における「上階屋内空間」となり、仕切体を挟んで直下に位置する階層が本願における「下階屋内空間」となる。また、間取りについても、上述した建物１の間取りに限られるものではなく、別の間取りを有する建物としてもよい。例えば、上述した建物１では、第１開口部３ａが第１格子床部４０ａに設けられ、第２開口部３ｂが第２格子床部４０ｂに設けられているが、第１開口部３ａ及び第２開口部３ｂが、上階屋内空間の床部ではなく、下階屋内空間の吹抜けにより構成されているものであってもよい。但し、上述したように、吹抜けとすると上階屋内空間の床面積が小さくなるため、上述した建物１のように、上階屋内空間の床部の一部に、第１開口部３ａ及び第２開口部３ｂを設ける構成とすることが好ましい。
【産業上の利用可能性】
【００９０】
本発明は建物に関する。
【符号の説明】
【００９１】
１：建物
２：外周壁
２ａ：上階外周壁
２ａ１、２ａ２：第１上階外壁部
２ａ３、２ａ４：第２上階外壁部
２ｂ：下階外周壁
２ｂ１、２ｂ２：第１下階外壁部
２ｂ３、２ｂ４：第２下階外壁部
３：仕切体
３ａ：第１開口部
３ｂ：第２開口部
３ｃ：第３開口部
１１：玄関
１１ａ：玄関出入り口
１２：廊下
１２ａ：仕切壁
１３：リビング・ダイニング・キッチン
１３ａ：区画壁
１４：部屋
１５：収納室
１６：階段室
１７：廊下
１８：リビング
１８ａ：区画壁
１９ａ〜１９ｃ：部屋
２０：洗面室
２１：屋根付き屋外空間
２２：ペントハウス
２２ａ：採光窓
３０ａ：低位水平部
３０ｂ：高位水平部
３０ｃ：起立部
４０ａ：第１格子床部
４０ｂ：第２格子床部
４１：桟材
５１ａ〜５１ｄ：建具
５２ａ：第１通風開口
５２ｂ：第２通風開口
５２ｃ：第３通風開口
５２ｄ：第４通風開口
６１ａ、６１ｂ、６１ｃ：建具
６２ａ、６２ｂ：開口
６２ｃ：出入り口
７０：放射式空調装置
７１：輻射パネル
９０ａ、９０ｂ：板材
９１ａ、９１ｂ：開口
【図１】
2017128859.tif 000003
【図２】
2017128859.tif 000004
【図３】
2017128859.tif 000005
【図４】
2017128859.tif 000006